(57)【特許請求の範囲】
【請求項１】
肛門から直腸に挿入し腸内物を破砕・分断して排出する排便装置であって、肛門から直腸に挿入される筒体を設け、同筒体内に回転して腸内物を破砕・分断する破砕体を設け、排便のための液体と腸内物を筒体内に引き込むように回転して流れを発生させる吸引羽根を設け、同吸引羽根で吸引させて破砕体で破砕・分断した腸内物と前記液体の混合物を破砕体の前方に戻す戻し路を設け、筒体の排出口を吸引ポンプに接続し、筒体内部に循環流を作って繰り返し腸内物の破砕・分断を行って排出できるようにしたことを特徴とする循環式排便装置。
【請求項２】
肛門から直腸に挿入される筒体内に電動モーターで回転する回転軸を設け、同回転軸の先端に回転して腸内物を破砕・分断する破砕体を設け、同回転軸の破砕体より後方部分に吸引羽根を設ける構造にした請求項１記載の循環式排便装置。
【請求項３】
液体を破砕体の前方に注出する液体注出路を設けた請求項１又は２記載の循環式排便装置。
【請求項４】
先端に掻き込み爪を備えた掻き込み体を筒体内にスライド可能に設けた請求項１〜３いずれかに記載の循環式排便装置。
【請求項５】
破砕体と吸引羽根を一体にした構造とした請求項１〜４いずれかに記載の循環式排便装置。
【請求項６】
筒体の前方外周に膨縮自在なバルーンを設けた請求項１〜５いずれかに記載の循環式排便装置。
【請求項７】
破砕体及び破砕羽根の回転軸を駆動する駆動部を筒体後端に脱着自在に取り付ける構造にした請求項２〜６いずれかに記載の循環式排便装置。
【請求項８】
筒体の先端に拡縮できる保護体を設けた請求項１〜７いずれかに記載の循環式排便装置。
【発明の詳細な説明】
【０００１】
【発明の属する技術分野】
本発明は肛門から挿入され、腸内の排泄されない便を強制的に破砕・分断・撹拌・掻き込み（以下単に破砕という）して強制排出するための技術に関する。特に寝たきりの老人・患者・自己排便力のない者にとって有用な装置である。
【０００２】
【従来の技術】
従来、宿便等で腸内で滞留して排便できない便は、医師・看護人が肛門から指を挿入して掻き出していた。これは手間のかかるものであった。
本発明者は、これを解消する装置を開発した。これは肛門から挿入される筒体の内部で便を破砕し、筒体に接続した吸引装置で吸引して便を強制排出させる構造のものである。
しかし、破砕が十分でないと吸引装置で吸引する途中で詰まったりすることがあった。また、吸引装置で吸引すると腸内に注入した排便のための液体が一定量以下になる前までの限られた時間しか用いることができず、さらに処置を行うには再度液体を腸内に注入しなければならないので処置時間が長くなり処置される者にとっては苦痛なものであった。
【０００３】
【発明が解決しようとする課題】
本発明が解決しようとする課題は、従来のこれらの問題点を解消し、装置内部に循環流を作って繰り返し十分に腸内物の破砕・分断を行えるようにした循環式排便装置を提供することにある。
【０００４】
【課題を解決するための手段】
かかる課題を解決した本発明の構成は、
１）  肛門から直腸に挿入し腸内物を破砕・分断して排出する排便装置であって、肛門から直腸に挿入される筒体を設け、同筒体内に回転して腸内物を破砕・分断する破砕体を設け、排便のための液体と腸内物を筒体内に引き込むように回転して流れを発生させる吸引羽根を設け、同吸引羽根で吸引させて破砕体で破砕・分断した腸内物と前記液体の混合物を破砕体の前方に戻す戻し路を設け、筒体の排出口を吸引ポンプに接続し、筒体内部に循環流を作って繰り返し腸内物の破砕・分断を行って排出できるようにしたことを特徴とする循環式排便装置
２）  肛門から直腸に挿入される筒体内に電動モーターで回転する回転軸を設け、同回転軸の先端に回転して腸内物を破砕・分断する破砕体を設け、同回転軸の破砕体より後方部分に吸引羽根を設ける構造にした前記１）記載の循環式排便装置
３）  液体を破砕体の前方に注出する液体注出路を設けた前記１）又は２）記載の循環式排便装置
４）  先端に掻き込み爪を備えた掻き込み体を筒体内にスライド可能に設けた前記１）〜３）いずれかに記載の循環式排便装置
５）  破砕体と吸引羽根を一体にした構造とした前記１）〜４）いずれかに記載の循環式排便装置
６）  筒体の前方外周に膨縮自在なバルーンを設けた前記１）〜５）いずれかに記載の循環式排便装置
７）  破砕体及び破砕羽根の回転軸を駆動する駆動部を筒体後端に脱着自在に取り付ける構造にした前記２）〜６）いずれかに記載の循環式排便装置
８）  筒体の先端に拡縮できる保護体を設けた前記１）〜７）いずれかに記載の循環式排便装置
にある。
【０００５】
【作用】
本発明では、破砕体によって破砕・分断した腸内物と排便のために腸内に注入した液体の混合物を筒体内で循環させて破砕・分断を繰り返して十分に破砕・分断するとともに、筒内に誘導した腸内物に混合物によって水分を与えて破砕・分断を行いやすくし、その後に吸引ポンプで混合物を筒体内から外部に吸引して排出を行う。
循環している混合物の一部を排出するものは、破砕・分断した腸内物と液体の混合物を筒体内で循環させながら、その一部を吸引ポンプで引いて排出を行う。筒体内に回転させる破砕体と吸引羽根を設け、筒体内に戻し路を設けたものは、回転する吸引羽根によって腸内物を引き込むように移動させ、破砕体で腸内物を破砕・分断し、破砕・分断した腸内物と薬液の混合物を戻し路を通して筒体内の前方に送って、前方に送った破砕・分断した腸内物と薬液の混合物をさらに吸引羽根で引き込むようにして破砕・分断した腸内物と薬液の混合物を循環させて繰り返し腸内物の破砕・分断を行う。
電動モーターで回転する回転軸を設け、回転軸に破砕体と吸引羽根を設けるものは、同軸で破砕体と吸引羽根を回転させて駆動力を有効に活用する。
液体注出路を設けたものは、排出とは別に液体を筒体内に注出できる。
先端に掻き込み爪を備えた掻き込み体を筒体内にスライド可能に設けたものは、腸内物を掻き込むようにして筒体内に強制的に誘導することができる。
破砕体と吸引羽根を一体にしたものは、簡単な構造で破砕体と吸引羽根とを兼用するようにする。
筒体の前方外周に膨縮自在なバルーンを設けたものは、筒体を人体に傷つけることなく固定することができる。
破砕体及び破砕羽根の回転軸を駆動する駆動部を筒体後端に脱着自在に取り付けたものは、筒体と駆動部を脱着させることにより、筒体の洗浄・交換・廃棄を行えるようにする。
筒体の先端に保護体を設けたものは、筒体を直腸内に挿入した後で保護体を拡げることにより、破砕体や掻き込み体が人体に直接触れないようにする。
【０００６】
【発明の実施の形態】
本発明の筒体はシリコン・ゴム質で製作することを普通とする。
吸引羽根は、腸内物を装置内に引き込む流れを回転で発生させるものであれば、どのようなものでもよい。
戻し路は、筒体内に内筒状に設けても、筒体内をしきるようにしても、どのようにして設けたものであってもよい。
【０００７】
【実施例】
実施例１（図１〜４参照）
本発明の各実施例について図面を参照して具体的に説明する。
図１〜４に示す実施例１は、筒体内に電動モーターで回転する破砕体と吸引羽根を設け、戻し路を設け、掻き込み体を設け、筒体の前方外周にバルーンを設けた循環式強制排便方法及び循環式排便装置の例である。
図１は実施例１の循環式排便装置の断面図である。図２は図１のＡ−Ａ断面図である。図３は実施例１の循環式排便装置の説明図である。図４は実施例１の循環式排便装置の吸引羽根を示す斜視図である。
図中、１は循環式排便装置、２は外筒、２ａは戻し路、２ｂは掻き込み体引き出し部、２ｃは排出管、３は内筒、３ａは軸受部、３ｂは上方開口部、３ｃは下方開口部、３ｄはシール用溝、４は破砕体、５は吸引ローター、５ａは吸引羽根、５ｂはカバー、６は回転軸、６ａは抜け止め部、７，８はＯリング、９はシール部、１０はＯリング、１２は掻き込み体、１２ａは掻き込み部、１２ｂは取手、１３は蛇腹、１４はハウジング、１５は電動モーター、１５ａは出力軸、１６はバルーン、１７はチューブ、１８は切替器、１９は湯容器、２０は排泄容器、２１は圧送ポンプ、２２は吸引ポンプ、２３はカバーである。
【０００８】
実施例１では、図１，２に示すように、まず、外筒２は先端部分を肛門から直腸に挿入できる大きさの径の筒体形状にし、その後方に拡径した部分を設けた２段形状にしている。前方と後方の拡径した部分は、前方の筒部分の上端と後方の拡径した部分の上端が同じ高さとなるように偏心して設け、その接続部分はなだらかに径が変更される形状にする。外筒２の拡径した部分の外周上端には、斜め上後方に伸びる管状の掻き込み体引き出し部２ｂを設ける。次に外筒２の拡径した部分の外周下端には、下方に伸びる排出管２ｃを設ける。この掻き込み体引き出し部２ｂと排出管２ｃの後方の外筒２の内側はさらに２段に拡径する形状にする。次に外筒２の拡径した部分の前端部分から掻き込み体引き出し部２ｂの接続部分までの間に、所定高さより上下に仕切る板状物を設け、この板状物で仕切られた上部空間を戻し路２ａとする。
【０００９】
内筒３は、戻し路２ａとその下方を仕切った板状物の下方の空間に挿入できる大きさになっている。内筒３の後方は２段に拡径した形状にし、外筒３の後方の２段に拡径した内側と所定隙間で係合するようにしている。内筒３の先端は上端が下端より前方に位置するよう斜めに上端が伸びた端面形状にしている。内筒３の先端に近い位置の内筒３の内周に回転軸を回転自在に支持し、前後に腸内物を通過させる開口部を設けた軸受部３ａを設ける。次に、後方の最も後方の拡径部分の外周には、Ｏリング用のシール用溝３ｄを設ける。このシール用溝３ｄにＯリング１０を取り付け、内筒３を外筒２の戻し路２ａより下方の空間に挿入する。この挿入は内筒３の後方の拡径部分が外筒２の後方の拡径部分に当たって止まるまでとし、この状態で内筒３の内部空間と掻き込み体引き出し部２ｂの基端部分の戻し路２ａが連通するように、内筒３の上方部分に上方開口部３ｂを設ける。またさらに外筒２の戻し路２ａを仕切る板状物にも上下に連通する開口部分を設ける。次に内筒３の内部空間と排出管２ｃが連通するように内筒３の下端部分に下方開口部３ｃを設ける。次に、外周の２箇所に環状の溝を備え、内周の２箇所に環状の溝を設けた略筒状のシール部９を設け、外周の溝にＯリング７を取り付け、内周の溝にＯリング８を取り付けて内筒３の拡径した１段目の内周に挿入して取り付ける。次に長い回転軸６を内筒３の軸受部３ａとシール部９のＯリング８内側を貫通するように取り付ける。次に軸受部３ａより後方の回転軸６に吸引ローター５を取り付ける。吸引ローター５は図４に示すように吸引羽根５ａと吸引羽根５ａを保護するカバー５ｂで形成されている。次に内筒３の軸受部３ａより前方に突出した回転軸６の先端部分に腸内物を破砕・分断するための破砕刃を備えた破砕体４を取り付ける。
【００１０】
次に折曲可能な線材を掻き込み体引き出し部２ｂの斜め上後端より内部に突入させ、外筒２の戻し路２ａを通って線材の先端が内筒３より前方の外筒２の内部に位置するようにする。次に線材の先端に半球状で内側も半球状にくりぬいた形状の掻き込み部１２ａを設け、線材の後端は外部に突出させてリング状の取手１２ｂを設ける。この線材と掻き込み部１２ａ、取手１２ｂで掻き込み体１２を構成する。次に取手１２ｂより前方の外部に突出させている線材が内部を貫通するようにして蛇腹１３を嵌入し、蛇腹１３の先端を、掻き込み体引き出し部２ｂの線材を突出させた周りにシール性を確保するよう取り付ける。次に蛇腹１３の後端を閉じるようにして掻き込み体１２の線材の所定位置に取り付ける。
次に内筒３及び外筒２の後端に接続するようにしてハウジング１４を取り付ける。ハウジング１４の前端部分には前方壁を設け、前方壁には、回転軸６の軸径より大きい穴を設けて回転軸６を前方壁の後方に突出させる。次にこの回転軸６の後端に前方壁の回転軸を貫通させた穴より径が大きい抜け止め部６ａを設ける。次に電動モーター１５の出力軸１５ａがアダプタを介して回転軸の後端と連結されるようにして、電動モーター１５をハウジング１４に取り付ける。
【００１１】
次に外筒２の先端部分２箇所に環状のバルーン１６を設ける。バルーン１６は空気を内部に送り、あるいは内部の空気を抜くことによって膨縮自在に使用できる。
次にチューブ１７を排出管２ｃに接続し、チューブ１７のもう一端を切替器１８に接続する。切替器１８は、チューブ１７を接続した送り先を２方向に切替るものを用いている。この片方の送り先に別のチューブ１７を接続して圧送ポンプ２１を介して湯容器１９にチューブ１７のもう一端を接続し、もう一方の切替器１８の送り先にさらに別のチューブ１７を接続して吸引ポンプ２２を介して排泄容器２０にチューブ１７のもう一端を接続する。
さらに外筒２の先端には水溶性のカバー２３を取り付ける。
【００１２】
この循環式排便装置１を用いるには、まず、外筒２の先端を処置を行う人の肛門から直腸に挿入し、２つのバルーン１６のうち一方が肛門より奥側、一方が体外となるようにし、２つのバルーン１６に空気を送ってバルーン１６を膨張させて、外筒が移動しないよう処置を行う人の体に固定する。次に切替器１８を圧送ポンプ２１側に切替えて圧送ポンプ２１を駆動し、湯容器１９の湯を所定量腸内に送り込む。湯を腸内に送ったら圧送ポンプ２１を停止させ、切替器１８を吸引ポンプ２２側に切替える。湯が外筒２の先端に送られることによって、外筒２の先端に取り付けたカバー２３は、水溶性なので、送った湯と腸内の水分によって溶けることによって外筒２の内部と腸内が連通する。次に、掻き込み体１２の取手１２ｂを手で持って押し込むようにして掻き込み体１２を前方に移動させ、掻き込み体１２の先端に設けた掻き込み部１２ａを掻き込む腸内物より前方に位置させるようにし、次に取手１２ｂを後方に引くようにして掻き込み部１２ａで腸内物を外筒内部に掻き込む。この際には、電動モーター１５を駆動して破砕体４及び吸引ローター５を回転させる。吸引ローター５の吸引羽根５ａの回転によって前方から破砕体４に向かう流れが発生する。これによって腸内物が回転する破砕体４に向って移動する。また、掻き込み体によっても腸内物は破砕体に近い前方位置まで移動する。破砕体４に向って移動した腸内物は回転する破砕体４の破砕刃によって破砕・分断されて、破砕体４に設けた開口部分から後方に送られ、吸引ローター５を通過してさらに後方に送られる。この際には吸引ローター５の吸引羽根５ａによって破砕・分断がさらに行なわれる。
【００１３】
吸引ローター５の後方の内筒３には、上方開口部３ｂと下方開口部３ｃが設けられている。下方開口部３ｃは排出管２ｃに連通しているが、吸引ポンプ２２が停止していることによって吸引ポンプ２２へは腸内物と湯の混合物は流れて行くことができない。また、内筒３のさらに後方は、シール部９と内筒３の内周がＯリング７でシールされ、シール部９と回転軸がＯリング８でシールされている。よって破砕・分断された腸内物と湯の混合物は内筒３の内部から上方開口部３ｂを通って上部へ移動する。掻き込み体引き出し部２ｂの斜め後上端は蛇腹によってシールされているので、この部分から外部に洩れ出さない。また、外筒２内部の後方は内筒３の外周との間がＯリング１０でシールされている。よって破砕・分断された腸内物と湯の混合物は戻し路２ａを通って前方に移動する。前方に移動した破砕・分断された腸内物は戻し路２ａの前端から外筒２の内部に戻り、吸引ローター５によって吸引されて破砕体４によってさらに破砕・分断されて後方に送られる。このようにして破砕・分断された腸内物と湯の混合物は戻し路２ａを通して循環されることによって十分に破砕・分断が行える。この十分に破砕・分断された腸内物と湯との混合物をさらに循環させることにより、さらに掻き込んで、あるいは吸引した腸内物に水分を与えることができるので、さらに十分な破砕・分断を行うことができる。
【００１４】
従来においては、腸内物の破砕・分断を外部の吸引装置に吸引しながら行うために、最初に腸内に注入した湯が吸引されてなくなると、破砕・分断を行う腸内物が比較的乾燥した状態になるために硬いままの状態で破砕・分断を行わなければならないため十分な破砕・分断を行うことができず、さらに湯を注入しなければならなかったが、このように破砕・分断した腸内物と湯の混合物によって水分を破砕する腸内物に与え続けることができるので、一度の湯の注入に対して強制的に排出させる腸内物の量を多くすることができ、非常に効率的で処置時間も短くなるので、処置される人も楽になり非常に有用である。
このようにして十分な腸内物の破砕・分断を行ったならば吸引ポンプ２２を作動させて循環式排便装置１の内部の破砕・分断した腸内物と湯の混合物を吸引した排泄容器２０に収容し、吸引ポンプ２２を停止し、バルーン１６内の空気を抜いてバルーン１６を収縮させ、外筒の前方部分を肛門から引き抜いて処置を終了する。
【００１５】
図５に示すのは、実施例１の循環式排便装置の他の例である。
図中、２５は注入口、２６は液体供給路である。
実施例１の他の例では、湯水等の排便のための液体の注入を腸内物の排出とは別の注入口２５を設けて行うようにし、注入口２５より注入された液体を液体供給路２６によって筒体の前方から供給されるようにしている。このように注入口２５，液体供給路２６を設けて、後からさらに液体を注入しやすくし、また、排便のための液体の注入と腸内物の排出を同時に行えるようにしてもよい。また、腸内物と液体の循環させている混合物の一部を排出するように用いてもよい。
【００１６】
図６に示すのは、実施例１の循環式排便装置の吸引羽根の他の例である。
図中、２８は吸引羽根である。
このように吸引羽根としては、筒体内に引き込む流れを発生させるものであればどのようなものを用いてもよい。
【００１７】
実施例２（図７，８参照）
図７，８に示す実施例２は、筒体の先端に保護体を設け、破砕体を前方と後方の２箇所に設けるようにした循環式排便装置の例である。
図７は実施例２の循環式排便装置の断面図である。図８は実施例２の循環式排便装置の正面図である。
図中、３０は外筒、３０ａは戻し路、３０ｂは掻き込み体引き出し部、３０ｃは排出管、３１は内筒、３１ａは軸受部、３１ｂは上方開口部、３１ｃは下方開口部、３１ｄは戻し路、３１ｅは係合部、３２，３３は破砕体、３４は破砕羽根、３５はシール部、３６はＯリング、３７は保護体、３７ａは係合部、３８は保護シート、４０は吸引羽根、４０ａは破砕突起である。
実施例２では、内筒３１の先端とそれより後方部分の２箇所に破砕体３２，３３を設けている。また、外筒３０の先端には拡縮自在な保護体３７を円筒上に複数設けて全体として拡縮できるようにし、各々の保護体３７の内側の外筒３０との接続部分の近くに突起状の係合部３７ａを設ける。次に保護体３７の所定の位置より先端側に前後に各々スリットを設け、この各々のスリットに環状の保護シート３８を差し込むようにして取り付け、保護シート３８の先端側を外側に折り返すようにして保護体３７の外側が保護シート３８で保護されるようにしている。また、内筒３１は、先端側部分を２重管構造とし、戻し路３１ｄを設け、外筒３０の戻し路３０ａと接続されて破砕体の前方に破砕・分断した腸内物と湯の混合物を戻すようにしている。また２重管構造とした内筒３１の先端部分には、保護体３７の係合部３７ａと係合する係合部３１ｅを設けている。
本実施例２の循環式排便装置では、内筒３１を前方に移動させることによって保護体３７の突起状の係合部３７ａを内筒３１の係合部３１ｅで押すことによって保護体３７が拡がるようにして、掻き込み体や破砕体が直接人体に当たらないようにしてより安全に使用できるようにしている。また、破砕体を複数設けることにより、さらに効率よく腸内物を破砕・分断して処置時間を短くでき、多くの腸内物が排出できる。
その他、符号、構成、作用、使い方は実施例１と同じである。
【００１８】
図９に示すのは実施例の循環式排便装置の他の例である。
図中、４０は破砕体と兼用する吸引羽根、４０ａは破砕突起である。
実施例の他の例では吸引羽根４０の羽根部分の前方側に破砕突起４０ａを複数設け、吸引羽根４０が破砕体を兼用するようにしている。このように破砕羽根と吸引羽根を一体とし、簡単な構造にして小型化及びコストを抑制させるようにしてもよい。
【００１９】
【発明の効果】
本発明によれば、装置内部に循環流を作って繰り返し十分に腸内物の破砕・分断を行えるようにして効果的に腸内物を排出でき処理時間を短くできる。
循環している混合物の一部を排出するものは、筒体内で循環させる腸内物と液体の混合物の量を適した量に調整してさらに効率よく処置を行えるようにする。
回転させる破砕体と吸引ローターを設け、筒体内に戻し路を設けたものは、筒体内に循環流を作って繰り返し十分に破砕・分断を行えるようにして効果的に腸内物を排出でき、処置時間を短くできる循環式排便装置にできる。
電動モーターで回転する回転軸を設け、回転軸に破砕体と吸引ローターを設けるものは、スペースと駆動力を有効に活用した循環式排便装置にできる。
液体注出路を設けたものは、排出路を使用している状態でも液体を筒体内に注出でき、処置の状態に応じて液体の筒体への注出が後からでもできる。
先端に掻き込み爪を備えた掻き込み体を筒体内にスライド可能に設けたものは、さらに効果的に腸内物の排出を行うようにできる。
破砕体と吸引羽根を一体にしたものは、コストを抑制し、装置を小型化できる。
筒体の前方外周に膨縮自在なバルーンを設けたものは、安全に人体に筒体を固定して確実に処置でき、また肛門から流下物が筒体と肛門の間から流れ出さないようにできる。
破砕体及び破砕羽根の回転軸を駆動する駆動部を筒体後端に脱着自在に取り付けたものは、筒体の洗浄・交換・廃棄を容易に行える循環式排便装置にできる。
筒体の先端に保護体を設けたものは、より安全に使用できる循環式排便装置にできる。
【図面の簡単な説明】
【図１】実施例１の循環式排便装置の断面図である。
【図２】図１のＡ−Ａ断面図である。
【図３】実施例１の循環式排便装置の説明図である。
【図４】実施例１の循環式排便装置の吸引羽根を示す斜視図である。
【図５】実施例１の循環式排便装置の他の例を示す説明図である。
【図６】実施例１の循環式排便装置の吸引羽根の他の例を示す斜視図である。
【図７】実施例２の循環式排便装置の断面図である。
【図８】実施例２の循環式排便装置の正面図である。
【図９】実施例の循環式排便装置の他の例の説明図である。
【符号の説明】
１  循環式排便装置
２  外筒
２ａ  戻し路
２ｂ  掻き込み体引き出し部
２ｃ  排出管
３  内筒
３ａ  軸受部
３ｂ  上方開口部
３ｃ  下方開口部
３ｄ  シール用溝
４  破砕体
５  吸引ローター
５ａ  吸引羽根
５ｂ  カバー
６  回転軸
６ａ  抜け止め部
７  Ｏリング
８  Ｏリング
９  シール部
１０  Ｏリング
１１  欠番
１２  掻き込み体
１２ａ  掻き込み部
１２ｂ  取手
１３  蛇腹
１４  ハウジング
１５  電動モーター
１５ａ  出力軸
１６  バルーン
１７  チューブ
１８  切替器
１９  湯容器
２０  排泄容器
２１  圧送ポンプ
２２  吸引ポンプ
２３  カバー
２４  欠番
２５  注入口
２６  液体供給路
２７  欠番
２８  吸引羽根
２９  欠番
３０  外筒
３０ａ  戻し路
３０ｂ  掻き込み体引き出し部
３０ｃ  排出管
３１  内筒
３１ａ  軸受部
３１ｂ  上方開口部
３１ｃ  下方開口部
３１ｄ  戻し路
３１ｅ  係合部
３２  破砕体
３３  破砕体
３４  吸引羽根
３５  シール部
３６  Ｏリング
３７  保護体
３７ａ  係合部
３８  保護シート
３９  欠番
４０  吸引羽根
４０ａ  破砕突起
【図１】
0003646035.tif 000002
【図２】
0003646035.tif 000003
【図３】
0003646035.tif 000004
【図４】
0003646035.tif 000005
【図５】
0003646035.tif 000006
【図６】
0003646035.tif 000007
【図７】
0003646035.tif 000008
【図８】
0003646035.tif 000009
【図９】
0003646035.tif 000010